(57)【要約】      （修正有）【課題】センサー設置箇所と監視箇所が離れている場合でも、また監視者が任意の場所にいてもセンサー設置箇所の情報が受信出来る自動情報電送装置を提供する。【解決手段】自動情報伝送装置内に２個のタイマーを設け、タイマーＡ２ａは伝送時間設定用で動作・復旧時に瞬時トリガー信号を発生、タイマーＢ２ｂは携帯電話機の発信制御用でタイマーＡのトリガー信号で数秒間リレーを動作後に復旧する。センサー装置の起動信号によりタイマーＡ及びＢが動作し、携帯電話機が監視制御装置へ自動発信し接続状態となる。一方、タイマーＢの動作により、センサー装置の情報送受信回路に電源が供給され、携帯電話機を通して監視制御装置と情報の送受信が完了後タイマーＡが復旧し、タイマーＢが動作、同リレー接点で携帯電話機の接続が切断される。以上の構成で、有線通信手段の無いセンサー装置から低コスト，低消費電力の情報伝送手段を提供する。【選択図】図１
0003166134.tif 000002
【実用新案登録請求の範囲】
【請求項１】
センサー情報を伝送する手段において、自動情報伝送装置と携帯電話機を近接して配置し遠隔地に監視制御装置を配置する構成とし、この自動情報伝送装置内にタイマーＡ及びＢを有し、タイマーＡは伝送時間設定用、タイマーＢは携帯電話機の発信制御用としての機能を持ち、このうちタイマーＡは動作開始及び終了時にトリガー信号を瞬時発生し、またタイマーＢはタイマーＡのトリガー信号で内蔵リレーを２度にわたり数秒間作動させた後に復旧する動作を行い、このセンサー装置の起動信号によりタイマーＡ及びＢを連続起動し、携帯電話機を監視制御装置に自動接続状態とし、このタイマーＡ及びＢの組合せによって、最初の起動信号のみで、自動的に携帯電話機を発信，接続及び終話させ、その間にセンサー情報を監視制御装置に伝送し、かつ情報伝送時間も自由に設定できることを特徴とした携帯電話機を利用した自動情報伝送装置。
【考案の詳細な説明】
【技術分野】
【０００１】この考案は、携帯電話機を利用した情報伝送装置に関するものである。
【背景技術】
【０００２】温度、扉開閉などの情報を有線で接続出来ない遠隔地で監視・制御する場合、無線式テレメーター装置が産業用として幅広く利用されている。【０００３】商用電源が無い屋外にセンサーを設置する場合、既設設備では消費電力が大きいため電源の確保が難しく、電源設備を新設したり設置場所を変更するなど設置場所が限定される。【０００４】携帯電話機は通話の他、メールや動画の送受信などの情報伝送装置であると共に自動発信機能を備えている。
【考案の概要】
【考案が解決しようとする課題】
【０００５】農園や駐車場などの状態をセンサーで感知し、遠隔地で監視するには無線による情報伝送が最適であるが、無線システムは無線申請手続が必要で一般的には普及が難しい。【０００６】商用電源の無い屋外にセンサーを必要とする事例もあるが、既設装置は消費電力が大きく電源確保が難しいため設置場所が限定される。
【課題を解決するための手段】
【０００７】農園や駐車場などの状態を感知するセンサー近傍に、太陽電池，バッテリーなどの自立電源設備で給電された自動情報伝送装置、携帯電話機を配置し、この自動情報伝送装置は２個のタイマーＡ，Ｂを有し、タイマーＡは伝送時間設定用で動作開始及び終了時にトリガー信号を瞬時発生する。【０００８】タイマーＢは携帯電話機の発信・復旧制御用で、タイマーＡのトリガー信号でタイマーＢのリレーを数秒間動作させ、センサーより遠隔地にある監視制御装置の固定電話機や携帯電話機を起動させた後に復旧する。【０００９】センサー装置からの起動信号があると、自動情報伝送装置のタイマーＡ及びタイマーＢが動作、タイマーＢのリレー接点で携帯電話機に事前に登録された電話番号へ自動発信し、回線が設定，保持される。【００１０】一方、自動情報伝送装置のタイマーＢのリレー接点でセンサー装置のタイマーが動作、同タイマーのリレー接点で情報送受信回路に電源が入り情報の送受信が行われる。【００１１】情報伝送が完了した時間経過後、自動情報伝送装置のタイマーＡが復旧しタイマーＢが動作、リレー接点が閉じられるため携帯電話機への終話信号となり、接続が切断される。【００１２】本考案の自動情報伝送装置に使用されるタイマーなどは、市販の一般電子部品で製作できかつ消費電力の少ない回路構成である。
【考案の効果】
【００１３】携帯電話機は無線装置であるが、無線免許申請は個人で行わずに利用出来るほか、通信会社の回線を利用したり、無線免許による無線回線を構成するのに比べて、格段に低コストで回線構成が可能となる。【００１４】携帯電話機を利用して、センサー設置箇所と監視箇所が離れている場合でも、また監視者が任意の場所にいてもセンサー設置箇所の情報が受信出来る。【００１５】センサー設置箇所の情報が自動で通知されるので、監視箇所では例えば不審者の侵入、扉開閉などの防犯の目的で、また温度の上昇など異常事態の検知など幅広く応用出来る。【００１６】本考案の自動情報伝送装置は消費電力が少なく、商用電源の無い山間地・農地などで太陽電池を利用した自立電源設備なども使用できるので、設置場所を自由に選定出来る。【００１７】自動情報伝送装置の電子回路は市販の一般電子部品で廉価に製作できるため、農園・商店などの個人事業者だけに限らず産業界に幅広く普及する事が期待出来る。
【図面の簡単な説明】
【００１８】
【図１】本考案の構成概要図である。
【考案を実施するための形態】
【００１９】以下、本考案の実施形態を図１に基づいて説明する。
【００２０】定期的にまたは不定期に信号を送信するように設定されたセンサー装置１から、起動信号１ａ（接点又は低周波信号など）を受けて、自動情報伝送装置２のタイマーＡ２ａが動作し、トリガー信号（パルス波）を瞬時発生する。
【００２１】タイマーＡ２ａのトリガー信号でタイマーＢ２ｂが動作、リレー接点２ｃで携帯電話機３のイヤホンマイク接続端子のスイッチ端子３ｃを数秒間閉路した後に復旧する。
【００２２】すると携帯電話機３は事前に登録されたメモリー番号に発信動作を行い、監視制御装置４の固定電話機又は携帯電話機に電話が掛かり回線が接続状態となる。
【００２３】一方センサー装置１では、自動情報伝送装置２のタイマーＢのリレー接点２ｄでタイマー１ｄが動作してデータ送受信回路１ｂ，１ｃに電源が入り、携帯電話機３のマイク端子３ａ及びイヤホン端子３ｂを通して監視制御装置４と情報の送受信が出来る。
【００２４】自動情報伝送装置２のタイマーＡ２ａは、センサー装置１の起動接点１ａの閉路により情報の送受信が完了するまで、数十秒間（任意設定）動作した後に復旧する。
【００２５】また監視制御装置４の携帯電話機４ｃで情報を受信する場合も、上記と同様の動作で電話が掛かってくるので、センサー装置１の情報送信回路１ｂに警報音を挿入するなどで異常事態を確認出来る。
【００２６】なおセンサー装置１及び監視制御装置４に記載されている装置の一部は利用例であり、センサー装置１では防犯用の威嚇装置（スピーカー等）１ｆを設置したり、監視制御装置４では電話の自動着信装置４ｄを設置してデータの送受信を自動化する事や警報装置４ｉでブザーを鳴らす事などができる。
【符号の説明】
【００２７】１    センサー装置
１ａ  起動信号
１ｂ  情報送信回路
１ｃ  情報受信回路
１ｄ  タイマー
１ｅ  タイマーリレー接点
１ｆ  威嚇装置（スピーカー等）
１ｇ  低周波信号
２    自動情報伝送装置
２ａ  タイマーＡ
２ｂ  タイマーＢ
２ｃ  タイマーＢリレー接点１
２ｄ  タイマーＢリレー接点２
２ｅ  情報送信ライン
２ｆ  情報受信ライン
３    携帯電話機
３ａ  マイク端子
３ｂ  イヤホン端子
３ｃ  スイッチ端子
３ｄ  共通端子
４    監視制御装置
４ａ  電話回線
４ｂ  固定電話機
４ｃ  携帯電話機
４ｄ  自動電話着信装置
４ｅ  タイマー
４ｆ  タイマーリレー接点
４ｇ  情報送信装置
４ｈ  情報受信装置
４ｉ  警報装置（ブザー等）
５    接続コード
６    携帯電話機用通信ネットワーク
【図１】
0003166134.tif 000003
【手続補正書】
【提出日】平成22年11月29日(2010.11.29)
【手続補正２】
【補正対象書類名】明細書
【補正対象項目名】全文
【補正方法】変更
【補正の内容】
【考案の詳細な説明】
【技術分野】
【０００１】この考案は、携帯電話機を利用した情報伝送装置に関するものである。
【背景技術】
【０００２】扉開閉、温度異常などのセンサー装置の情報を有線で接続出来ない遠隔地で監視・制御する場合、無線式テレメーター装置が産業用として幅広く利用されている。【０００３】商用電源が無い屋外にセンサーを設置する場合、既設設備では消費電力が大きいため電源の確保が難しく、電源設備を新設したり設置場所を変更するなど設置場所が限定される。【０００４】携帯電話機は通話の他、メールや動画の送受信などの情報伝送装置であると共に自動発信機能を備えている。
【考案の概要】
【考案が解決しようとする課題】
【０００５】農園や駐車場などの状態をセンサーで感知し、遠隔地で監視するには無線による情報伝送が最適であるが、無線システムは無線申請手続が必要で一般的には普及が難しい。【０００６】商用電源の無い屋外にセンサーを必要とする事例もあるが、既設装置は消費電力が大きく電源確保が難しいため設置場所が限定される。
【課題を解決するための手段】
【０００７】農園や駐車場などの状態を感知するセンサー装置近傍に、太陽電池，バッテリーなどの自立電源設備で給電された自動情報伝送装置、携帯電話機を配置し、遠隔地に監視制御装置を配置する構成とする。【０００８】本件自動情報伝送装置は、ＩＣ，トランジスタなどの電子部品で構成された２種類の機能を有するタイマーＡ及びタイマーＢを内蔵し、タイマーＡは伝送時間設定用でストップウオッチに似た機能を持ち、動作開始及び設定時間終了時にトリガー信号を瞬時発生する。【０００９】タイマーＢは携帯電話機の発信・復旧制御用で、タイマーＡのトリガー信号で出力端子に接続されたリレーを数秒間動作させた後に復旧する機能を持つ。【００１０】センサー装置からの扉開閉や温度異常などの起動信号があると、自動情報伝送装置のタイマーＡ及びタイマーＢが動作、タイマーＢのリレー接点で携帯電話機に事前に登録された電話番号へ自動発信し、センサー装置の情報送受信回路は電話回線に接続・保持される。【００１１】一方、自動情報伝送装置のタイマーＢの２回路目のリレー接点でセンサー装置のタイマーが動作、同タイマーのリレー接点で情報送受信回路に電源が供給される。【００１２】センサー装置の情報は、自動情報伝送装置の送受信ラインを経由し携帯電話機のマイク端子及びイヤホン端子を通して遠方にある監視制御装置との送受信が行われる。【００１３】自動情報伝送装置のタイマーＡは情報伝送が完了する設定時間（自由設定可能）後に復旧し、この時発生したトリガー信号によりタイマーＢが動作、同リレー接点が閉じられ、携帯電話機のスイッチ端子も閉となるため携帯電話回線への終話信号となり、接続が切断される。【００１４】本考案の自動情報伝送装置に使用されるタイマーなどは、市販の一般電子部品で製作できかつ消費電力の少ない回路構成である。
【考案の効果】
【００１５】携帯電話機は無線装置であるが、無線免許申請は個人で行わずに利用出来るほか、通信会社の回線を利用したり、無線免許による無線回線を構成するのに比べて、格段に低コストで回線構成が可能となる。【００１６】携帯電話機を利用しているので、センサー装置設置箇所と監視箇所が離れている場合でもまた監視者が任意の場所にいてもセンサー装置設置箇所の情報が受信出来る。【００１７】センサー装置設置箇所の情報が自動で通知されるので、監視箇所では例えば不審者の侵入、扉開閉などの防犯の目的で、また温度の上昇など異常事態の検知など幅広く応用出来る。【００１８】本考案の自動情報伝送装置は消費電力が少なく、商用電源の無い山間地・農地などで太陽電池を利用した自立電源設備なども使用できるので、設置場所を自由に選定出来る。【００１９】自動情報伝送装置の電子回路は市販の一般電子部品で廉価に製作できるため、農園・商店などの個人事業者だけに限らず産業界に幅広く普及する事が期待出来る。
【図面の簡単な説明】
【００２０】
【図１】本考案の構成概要図である。
【考案を実施するための形態】
【００２１】以下、本考案の実施形態を図１に基づいて説明する。
【００２２】センサー装置１からの起動信号１ａ（ドア開閉など接点の閉信号）があると、自動情報伝送装置２タイマーＡ２ａの入力端子２ａ１に起動が掛かりタイマーＡ２ａが予め設定した時間までカウントを開始すると同時に出力端子２ａ２にトリガー信号（パルス波）を瞬時発生する。
【００２３】タイマーＢ２ｂはタイマーＡ２ａのトリガー信号が結合コンデンサー２ａｂを通して入力端子２ｂ１に加わるため、出力端子２ｂ２に接続されたリレー２ｇが数秒間動作（接点が閉路）した後に復旧する。
【００２４】タイマーＢ２ｂのリレー２ｇの動作により、同リレー接点２ｃに接続された携帯電話機３のスイッチ端子３ｃが数秒間閉路されるため、携帯電話機３は事前に登録された監視制御装置４の固定電話機又は携帯電話機に自動発信し携帯電話回線は接続され保留状態となる。
【００２５】またセンサー装置１では、自動情報伝送装置タイマーＢ２ｂのもう一方のリレー接点２ｄの閉路がタイマー１ｄの入力端子１ｄ１に伝わり、タイマー１ｄが動作し、出力端子１ｄ２に接続されたリレー１ｈの接点１ｅにより情報送信回路１ｂ及び情報受信回路１ｃに電源が供給される。
【００２６】センサー装置１の情報は自動情報伝送装置２の送信ライン２ｅ及び受信ライン２ｆを経由して携帯電話機３のマイク端子３ａ及びイヤホン端子３ｂに接続されているためタイマー１ｄの動作時間内であれば携帯電話回線網６を通してセンサー情報の送受信が可能となる。
【００２７】自動情報伝送装置２のタイマーＡ２ａが設定時間に達すると出力端子２ａ２から再度トリガー信号が発せられるため、再びタイマーＢ２ｂのリレー２ｇが数秒間動作しリレー接点２ｃが閉となる。
このタイマーＢ２ｂの動作により、携帯電話機３のスイッチ端子３ｃが再び閉となるため終話信号となり、携帯電話機３は電話回線の接続を切断する。
【００２８】また監視制御装置４の携帯電話機４ｃで情報を受信する場合も、上記と同様の動作で電話が掛かってくるので、センサー装置１の情報送信回路１ｂに警報音を挿入するなどで異常事態を確認出来る。
【００２９】なおセンサー装置１及び監視制御装置４に記載されている装置の一部は利用例であり、センサー装置１では防犯用の威嚇装置（スピーカー等）１ｆを設置したり、監視制御装置４では電話の自動着信装置４ｄを設置してデータの送受信を自動化する事や警報装置４ｉでブザーを鳴らす事などができる。
【符号の説明】
【００３０】１    ：センサー装置                      ３    ：携帯電話機
１ａ  ：起動信号                          ３ａ  ：マイク端子
１ｂ  ：情報送信回路                      ３ｂ  ：イヤホン端子
１ｃ  ：情報受信回路                      ３ｃ  ：スイッチ端子
１ｄ  ：タイマー                          ３ｄ  ：共通端子
１ｄ１：タイマー入力
１ｄ２：タイマー出力                      ４    ：監視制御装置
１ｅ  ：タイマーリレー接点                ４ａ  ：電話回線
１ｆ  ：威嚇装置（スピーカー等）          ４ｂ  ：固定電話機
１ｇ  ：低周波信号                        ４ｃ  ：携帯電話機
１ｈ  ：タイマーリレー                    ４ｄ  ：自動電話着信装置
４ｅ  ：タイマー
２    ：自動情報伝送装置                  ４ｆ  ：タイマーリレー接点
２ａ  ：タイマーＡ                        ４ｇ  ：情報送信装置
２ａ１：タイマーＡ入力                    ４ｈ  ：情報受信装置
２ａ２：タイマーＡ出力                    ４ｉ  ：警報装置（ブザー等）
２ａｂ：結合コンデンサー                  ４ｊ  ：タイマーリレー
２ｂ  ：タイマーＢ
２ｂ１：タイマーＢ入力
２ｂ２：タイマーＢ出力                    ５    ：接続コード
２ｃ  ：タイマーＢリレー接点１
２ｄ  ：タイマーＢリレー接点２            ６    ：携帯電話回線網
２ｅ  ：情報送信ライン
２ｆ  ：情報受信ライン
２ｇ  ：タイマーＢリレー
【手続補正３】
【補正対象書類名】図面
【補正対象項目名】全図
【補正方法】変更
【補正の内容】
【図１】
0003166134.tif 000004
【手続補正４】
【補正対象書類名】実用新案登録請求の範囲
【補正対象項目名】全文
【補正方法】変更
【補正の内容】
【実用新案登録請求の範囲】
【請求項１】
センサー装置の情報を伝送する手段において、センサー装置１と自動情報伝送装置２及び携帯電話機３を近接して配置し遠隔地に監視制御装置４を配置する構成とする。
本件自動情報伝送装置２に電子部品で構成された２種類の機能を持つタイマーＡ２ａ及びタイマーＢ２ｂを内蔵し、タイマーＡ２ａは伝送時間設定用としてストップウオッチに似た機能を有し、動作開始及び設定時間完了時に出力端子２ａ２にトリガー信号を瞬時発生する。
タイマーＢ２ｂは携帯電話機３の発信・復旧制御用として機能し、タイマーＡ２ａのトリガー信号を受け出力端子２ｂ２に接続されたリレー２ｇを数秒間動作させた後に復旧する。
いまセンサー装置１からの起動信号１ａ（ドア開閉など接点の閉信号）があると、自動情報伝送装置タイマーＡの入力端子２ａ１に起動が掛かりタイマーＡ２ａが予め設定した時間までカウントを開始すると同時に出力端子２ａ２にトリガー信号を瞬時発生する。
タイマーＢ２ｂはタイマーＡ２ａのトリガー信号が結合コンデンサー２ａｂを通して入力端子２ｂ１に加わるため、出力端子２ｂ２に接続されたリレー２ｇが数秒間動作（接点が閉路）した後に復旧する。
タイマーＢ２ｂのリレー２ｇの動作により、同リレー接点２ｃに接続された携帯電話機３のスイッチ端子３ｃが数秒間閉路されるため、携帯電話機３は予めメモリーに登録された発信先に自動発信し携帯電話回線は接続状態となる。
またセンサー装置１では、自動情報伝送装置タイマーＢ２ｂのもう一方のリレー接点２ｄの閉路がタイマー１ｄの入力端子１ｄ１に伝わり、タイマー１ｄが動作し、出力端子１ｄ２に接続されたリレー１ｈの接点１ｅにより情報送信回路１ｂ及び情報受信回路１ｃに電源が供給される。
センサー装置１の情報は自動情報伝送装置２の送信ライン２ｅ及び受信ライン２ｆを経由して携帯電話機３のマイク端子３ａ及びイヤホン端子３ｂに接続されているためタイマー１ｄの動作時間中は携帯電話回線網６を通してセンサー情報の送受信が可能となる。
自動情報伝送装置２のタイマーＡ２ａが設定時間に達すると出力端子２ａ２から再度トリガー信号が発せられるため、再びタイマーＢ２ｂのリレー２ｇが数秒間動作しリレー接点２ｃが閉となる。
このタイマーＢ２ｂの動作により、携帯電話機３のスイッチ端子３ｃが再び閉となるため終話信号となり、携帯電話機３は電話回線の接続を切断する。
以上のように、自動情報伝送装置内２に２種類の機能を持ったタイマーＡ２ａ及びタイマーＢ２ｂを組み込み、センサー装置１の最初の起動信号１ａのみでタイマーＡ２ａ及びタイマーＢ２ｂを連続起動し、携帯電話機３を自動的に発信・接続及び終話させ、その間にセンサー装置の情報を監視制御装置４に伝送し、かつ情報伝送時間も自由に設定できることを特徴とする携帯電話機３を利用した自動情報伝送装置２。